(57)【要約】巻かれてヘムリング（１４）にされた管状壁を有するコンドーム（１２）を装着するように構成されたコンドーム装着器具（１０）であり、コンドームの初期状態においてヘムリング（１４）は管状壁の外側に形成される。器具（１０）は、２つの支持構造体（１６、１８）を備え、それらの支持構造体（１６、１８）は、一緒に内部空間及び分離軸Ａを規定し、内部空間から陰茎が突き出ることができ、分離軸Ａに沿って支持構造体を分離できる。各支持構造体は、一対のフック状保持構造体（２２）を規定し、コンドームを装着するときにヘムリングを繰り出せる配置でもって、そのフック状保持構造体（２２）内にコンドームのヘムリングを収容保持できる。本発明は、器具（１０）、コンドーム（１２）、包装用フィルムからなるパウチの形態を有する包装を含む集合体にまでその範囲が及び、その包装用フィルムは密閉された状態で支持構造体に取り付けられ、その結果コンドームを取り囲む密閉包装容器を形成する。
2004522543.tif 000002
【特許請求の範囲】
【請求項１】
コンドームが、内面および外面を有する管状壁を有し、かつ、巻かれて弾力のあるヘムリングにされ、前記ヘムリングが、コンドームの初期形体において、入口開口を規定し、かつ、管状壁の外側に形成される、勃起した陰茎にコンドームを装着するためのコンドーム装着器具であって、
前記コンドーム装着器具が、一緒に内部空間を規定する第１および第２のコンドーム支持構造体を備え、前記内部空間から、勃起した陰茎が突き出ることができ、前記支持構造体が、分離軸を規定し、かつ、前記分離軸に対して実質的に垂直な方向に分離することができ、前記支持構造体のそれぞれが、少なくとも１つのフック状保持構造体を規定し、前記フック状保持構造体が、コンドームの入口開口内に張り出し、かつ、コンドームの管状壁の内面に隣接して配置されるような配置でもって、前記フック状保持構造体内に、コンドームのヘムリングを収容することができ、前記フック状保持構造体のそれぞれが、湾曲した輪郭を有し、使用する際、コンドームを繰り出して装着するために支持構造体が陰茎の軸に沿って移動するときに、コンドームのヘムリングを繰り出すのを可能にするような配置でもって、コンドームのヘムリングを前記フック状保持構造体内に収容および保持することができ、前記フック状保持構造体のそれぞれが、凸状に湾曲したコンドーム接触面を規定し、前記コンドーム接触面は、コンドームの管状壁の内面と接触し、かつ、コンドームのヘムリングの丸みのある形状に合致し、前記支持構造体のそれぞれが、少なくとも１つの拘束構造体を規定し、前記拘束構造体は、支持構造体上に配置されて、コンドームのヘムリングがフック状構造体から遠ざかる方向へ動かないようにし、それによって、使用する際、コンドームを繰り出しているときに、コンドームのヘムリングが保持構造体から外れるのを阻止する、コンドーム装着器具。
【請求項２】
支持構造体のそれぞれが、分離して離間配置された一対のフック状保持構造体を規定する、請求項１に記載のコンドーム装着器具。
【請求項３】
フック状保持構造体のそれぞれが、平面図で見た場合、前記保持構造体の中心線に沿って延びるフック軸を規定し、前記フック軸は、前記凸状に湾曲したコンドーム接触面の頂点を通って延び、かつ、前記頂点に接する接線に対して垂直に延び、前記フック軸は、平面図で見た場合、分離軸と４５°の角度をなす、請求項２に記載のコンドーム装着器具。
【請求項４】
コンドーム支持構造体のそれぞれが、前記フック状構造体を規定する本体部分とフラップ状ハンドル部分とを規定し、前記フラップ状ハンドル部分は、本体部分から張り出し、かつ、コンドームを装着するときに、本体部分を操作するためにユーザが掴むことができる、請求項１から３のいずれか一項に記載のコンドーム装着器具。
【請求項５】
コンドーム支持構造体のそれぞれが、本体部分とハンドル部分との間にヒンジを有し、それによって、ハンドル部分が本体部分に対してヒンジ式に動くことができる、請求項４に記載のコンドーム装着器具。
【請求項６】
コンドーム装着器具が、変形可能な材料からなり、それぞれのコンドーム支持構造体のヒンジが、本体部分とハンドル部分との間に規定されたくびれの形態を有し、前記くびれは、本体部分に対してハンドル部分を曲げるのを十分に可能にするものである、請求項５に記載のコンドーム装着器具。
【請求項７】
コンドーム装着器具が、ヘムリングから遠隔にあるコンドーム端部に乳頭部を有するコンドームに使用するようになされたものであり、コンドーム装着器具は、２つの端部を有するストリップを含み、前記ストリップは、使用する際に、乳頭部に空気が入り込むのを防止ために、乳頭部がストリップによって折り重ねられた状態に維持されるような配置でもって、ストリップの端部をコンドーム支持構造体に接続され、コンドーム支持構造体間に張り渡され、かつ、コンドーム支持構造体上に保持されたコンドームを覆うようにして延び、前記ストリップは、強度の弱い部分を有し、前記強度の弱い部分は、使用する際に支持構造体が分離されたとき、その部分が引き裂かれるのを可能にする、請求項１から６のいずれか一項に記載のコンドーム装着器具。
【請求項８】
コンドーム装着器具と包装との集合体であって、
コンドームであり、内面および外面を有する管状壁を有し、かつ、巻かれて弾力のあるヘムリングにされ、前記ヘムリングが、コンドームの初期形体において、入口開口を規定し、かつ、管状壁の外側に形成された、コンドームと、
勃起した陰茎にコンドームを装着するためのコンドーム装着器具であり、前記コンドーム装着器具が、一緒に内部空間を規定する第１および第２のコンドーム支持構造体を備え、前記内部空間から、勃起した陰茎が突き出ることができ、前記支持構造体が、分離軸を規定し、かつ、前記分離軸に対して実質的に垂直な方向に分離することができ、前記支持構造体のそれぞれが、少なくとも１つのフック状保持構造体を規定し、前記フック状保持構造体が、コンドームの入口開口内に張り出し、かつ、コンドームの管状壁の内面に隣接して配置されるような配置でもって、前記フック状保持構造体内に、コンドームのヘムリングが、収容および保持され、前記フック状保持構造体のそれぞれが、湾曲した輪郭を有し、使用する際、コンドームを繰り出して装着するために支持構造体が陰茎の軸に沿って移動するときに、コンドームのヘムリングを繰り出すのを可能にするような配置でもって、コンドームのヘムリングが、前記フック状保持構造体内に収容および保持され、前記フック状保持構造体のそれぞれが、凸状に湾曲したコンドーム接触面を規定し、前記コンドーム接触面は、コンドームの管状壁の内面と接触し、かつ、ヘムリングの丸みのある形状に合致し、前記支持構造体のそれぞれが、少なくとも１つの拘束構造体を規定し、前記拘束構造体は、支持構造体上に配置されて、コンドームのヘムリングがフック状構造体から遠ざかる方向へ動かないようにし、それによって、使用する際、コンドームを繰り出す初期の段階において、コンドームのヘムリングが保持構造体から外れるのを阻止する、前記コンドーム装着器具と、
包装用フィルムからなるパウチの形態を有する包装であり、前記包装内には、コンドームと、支持構造体の少なくともフック状保持構造体および拘束構造体とが含まれ、前記包装は、２つのパウチ半体を含み、前記２つのパウチ半体は、それらの間に強度の弱い線を規定し、前記線は、使用する際に支持構造体を分離可能な分離軸に位置を合わせられ、前記強度の弱い線は、使用する際に、支持構造体をお互いに分離するとき、前記強度の弱い線に沿って包装を引き裂くのを可能にする、前記包装と、
を備えたコンドーム装着器具と包装との集合体。
【請求項９】
コンドーム装着器具の支持構造体のそれぞれが、分離して離間配置された一対のフック状保持構造体を規定する、請求項８に記載のコンドーム装着器具と包装との集合体。
【請求項１０】
フック状保持構造体のそれぞれが、平面図で見た場合、前記保持構造体の中心線に沿って延びるフック軸を規定し、前記フック軸は、前記凸状に湾曲したコンドーム接触面の頂点を通って延び、かつ、前記頂点に接する接線に対して垂直に延び、前記フック軸は、平面図で見た場合、分離軸と４５°の角度をなす、請求項９に記載のコンドーム装着器具と包装との集合体。
【請求項１１】
コンドーム装着器具が、ヘムリングから遠隔にあるコンドーム端部に乳頭部を有するコンドームに使用するようになされたものであり、コンドーム装着器具は、２つの端部を有するストリップを含み、前記ストリップは、使用する際に、乳頭部に空気が入り込むのを防止ために、乳頭部がストリップによって折り重ねられた状態に維持されるような配置でもって、ストリップの端部をコンドーム支持構造体に接続され、コンドーム支持構造体間に張り渡され、かつ、コンドーム支持構造体上に保持されたコンドームを覆うようにして延び、前記ストリップは、強度の弱い部分を有し、前記強度の弱い部分は、使用する際に支持構造体が分離されたとき、その部分が引き裂かれるのを可能にする、請求項８から１０のいずれか一項に記載のコンドーム装着器具と包装との集合体。
【請求項１２】
コンドーム装着器具のコンドーム支持構造体のそれぞれが、前記フック状構造体を規定する本体部分とフラップ状ハンドル部分とを規定し、前記フラップ状ハンドル部分は、本体部分から張り出し、かつ、コンドームを装着するときに、本体部分を操作するためにユーザが掴むことができる、請求項８から１１のいずれか一項に記載のコンドーム装着器具と包装との集合体。
【請求項１３】
コンドーム支持構造体のそれぞれが、本体部分とハンドル部分との間にヒンジを有し、それによって、ハンドル部分が本体部分に対してヒンジ式に動くことができる、請求項１２に記載のコンドーム装着器具と包装との集合体。
【請求項１４】
コンドーム装着器具が、変形可能な材料からなり、それぞれのコンドーム支持構造体のヒンジが、本体部分とハンドル部分との間に規定されたくびれの形態を有し、前記くびれは、本体部分に対してハンドル部分を曲げるのを十分に可能にするものである、請求項１３に記載のコンドーム装着器具と包装との集合体。
【請求項１５】
包装用フィルムが、密閉された状態で支持構造体の本体部分に取り付けられ、それによって、フック状保持構造体、コンドーム、および、拘束構造体を取り囲む密封包装容器を形成し、支持構造体のハンドル部分が、包装用フィルムの外部へ張り出し、使用する際に、ハンドル構造体を操作することができる、請求項１２から１４のいずれか一項に記載のコンドーム装着器具と包装との集合体。
【請求項１６】
包装用フィルムが、支持構造体の本体部分間に緊張して架け渡され、ハンドル部分を操作することによって、本体部分をそれらの内端を支点にしてお互いに対して動かすことができ、それによって、包装用フィルムの内面に作用するように内端をお互いに対して上かまたは下へ動かすことができ、その結果として、包装用フィルムの内面に、包装用フィルムの前記強度の弱い線を引き裂くのに十分な力を加えることができるような配置でもって、本体部分の作用内端が、前記分離軸に沿ってお互いに接触する、請求項１２から１５のいずれか一項に記載のコンドーム装着器具と包装との集合体。
【請求項１７】
本明細書に記載されたものと実質的に同じである、新しいコンドーム装着器具。
【請求項１８】
添付の概略図を参照して本明細書に記載されたものおよび添付の概略図に示されたものと実質的に同じである、コンドーム装着器具。
【請求項１９】
本明細書に記載されたものと実質的に同じである、新しいコンドーム装着器具と包装との集合体。
【請求項２０】
添付の概略図を参照して本明細書に記載されたものおよび添付の概略図に示されたものと実質的に同じである、コンドーム装着器具と包装との集合体。
【発明の詳細な説明】
【技術分野】
【０００１】
（技術分野）
本発明は、コンドーム装着器具に関する。また、本発明は、コンドーム装着器具と包装との集合体に関する。
【背景技術】
【０００２】
（発明の背景）
コンドームの包装および使用に関連した多くの問題が存在する。手でコンドームを装着する手順は、煩わしく、かつ、時間がかかり、そのことが、より多くの人々にコンドームが使用されるのを妨害している。コンドームは、典型的には、密封されたパウチに入れられており、コンドームを装着するには、ユーザは、そのパウチを破り、確実にコンドームの表を上にして、それを手で転がしながら陰茎上に装着しなければならない。パウチを破るときに、ユーザは、誤ってコンドームをつまんで引き裂くことがある。さらに、手でコンドームを転がしながら繰り出すとき、ユーザには、陰茎上にコンドームを凸凹がないように取り付けるのは面倒くさいと感じられる。その結果、しばしば、コンドーム壁体が、しわとなり、そのことは、性交の際に、そのしわが、膣壁に擦りつけられると、コンドームを引き裂くことがある。
【０００３】
上述した多くの問題を改善するために、コンドームを装着するための多くのコンドーム取り付け器具が、開発されてきた。米国特許第５，５４９，１２０号は、陰茎上にコンドームを取り付けるための器具を教示しており、その器具は、陰茎よりも大きな幅を有する環状フレームを有し、かつ、コンドームの壁の内側に形成されたコンドームの「巻かれた」部分すなわちヘムリングを収容する収容構造体を有する。環状フレームは、スリットを有し、フレームの２つの半体を分離するのを可能にし、フレームを取り除くのを容易にする。米国特許第５，６０６，９８２号は、コンドームの壁の内側に形成されたヘムリングを有するコンドームを取り付けるためのアプリケータを開示している。この器具は、環状の本体を有し、コンドームを装着するために、その本体上に、コンドームが、コンドームを転がしながら繰り出すのを可能にするような配置でもって、保持される。米国特許第５，１７０，８８７号は、コンドーム包装および装着器具を開示しており、それは、包装容器およびコンドーム取り付け手段を備える。包装容器を取り除くと、コンドームの開口が、装着のために露出する。この器具は、包装容器の内部にひだ状に寄せられたコンドームのヘムリングを保持するための環状の突起またはフック取り付け手段を含む。コンドームは、巻かれてヘムリングにされておらず、そのために、環状の突起またはフック取り付け手段は、コンドームが装着されるときに、コンドームの基部に形成されたフランジまたはリングをただ単に保持するだけである。
【発明の開示】
【０００４】
本発明の目的は、上記において指摘された問題を改善することである。
【０００５】
（発明の概要）
本発明の第１の態様によれば、勃起した陰茎にコンドームを装着するためのコンドーム装着器具が提供され、コンドームは、内面および外面を有する管状壁を有し、かつ、巻かれて弾力のあるヘムリングにされ、前記ヘムリングは、コンドームの初期形体において、入口開口を規定し、かつ、管状壁の外側に形成され、
前記コンドーム装着器具は、一緒に内部空間を規定する第１および第２のコンドーム支持構造体を備え、前記内部空間から、勃起した陰茎が突き出ることができ、前記支持構造体は、分離軸を規定し、かつ、前記分離軸に対して実質的に垂直な方向に分離することができ、前記支持構造体のそれぞれは、少なくとも１つのフック状保持構造体を規定し、前記フック状保持構造体が、コンドームの入口開口内に張り出し、かつ、コンドームの管状壁の内面に隣接して配置されるような配置でもって、前記フック状保持構造体内に、コンドームのヘムリングを収容することができ、前記フック状保持構造体のそれぞれは、湾曲した輪郭を有し、使用する際、コンドームを繰り出して装着するために支持構造体が陰茎の軸に沿って移動するときに、コンドームのヘムリングを繰り出すのを可能にするような配置でもって、コンドームのヘムリングを前記フック状保持構造体内に収容および保持することができ、前記フック状保持構造体のそれぞれは、凸状に湾曲したコンドーム接触面を規定し、前記コンドーム接触面は、コンドームの管状壁の内面と接触し、かつ、コンドームのヘムリングの丸みのある形状に合致し、前記支持構造体のそれぞれは、少なくとも１つの拘束構造体を規定し、前記拘束構造体は、支持構造体上に配置されて、コンドームのヘムリングがフック状構造体から遠ざかる方向へ動かないようにし、それによって、使用する際、コンドームを繰り出しているときに、コンドームのヘムリングが保持構造体から外れるのを阻止する。
【０００６】
支持構造体のそれぞれは、分離して離間配置された一対のフック状保持構造体を規定してもよい。
【０００７】
フック状保持構造体のそれぞれは、平面図で見た場合、前記保持構造体の中心線に沿って延びるフック軸を規定してもよく、前記フック軸は、前記凸状に湾曲したコンドーム接触面の頂点を通って延び、かつ、前記頂点に接する接線に対して垂直に延び、前記フック軸は、平面図で見た場合、分離軸と４５°の角度をなす。
【０００８】
コンドーム支持構造体のそれぞれは、前記フック状構造体を規定する本体部分とフラップ状ハンドル部分とを規定し、前記フラップ状ハンドル部分は、本体部分から張り出し、かつ、コンドームを装着するときに、本体部分を操作するためにユーザが掴むことができる。
【０００９】
コンドーム支持構造体のそれぞれは、本体部分とハンドル部分との間にヒンジを有してもよく、それによって、ハンドル部分が、本体部分に対してヒンジ式に動くことができる。
【００１０】
コンドーム装着器具は、変形可能な材料から構成されてもよく、それぞれのコンドーム支持構造体のヒンジは、本体部分とハンドル部分との間に規定されたくびれの形態を有してもよく、前記くびれは、本体部分に対してハンドル部分を曲げるのを十分に可能にするものである。
【００１１】
コンドーム装着器具は、ヘムリングから遠隔にあるコンドーム端部に乳頭部を有するコンドームとともに使用するようになされたものであり、コンドーム装着器具は、２つの端部を有するストリップを含み、前記ストリップは、使用する際に、乳頭部に空気が入り込むのを防止ために、乳頭部がストリップによって折り重ねられた状態に維持されるような配置でもって、ストリップの端部をコンドーム支持構造体に接続され、コンドーム支持構造体間に張り渡され、かつ、コンドーム支持構造体上に保持されたコンドームを覆うようにして延び、前記ストリップは、強度の弱い部分を有し、前記強度の弱い部分は、使用する際に支持構造体が分離されたとき、その部分が引き裂かれるのを可能にする。
【００１２】
本発明の第２の態様によれば、コンドーム装着器具と包装との集合体が、提供され、前記コンドーム装着器具と包装との集合体は、
コンドームであり、内面および外面を有する管状壁を有し、かつ、巻かれて弾力のあるヘムリングにされ、前記ヘムリングが、コンドームの初期形体において、入口開口を規定し、かつ、管状壁の外側に形成された、前記コンドームと、
勃起した陰茎にコンドームを装着するためのコンドーム装着器具であり、前記コンドーム装着器具は、一緒に内部空間を規定する第１および第２のコンドーム支持構造体を備え、前記内部空間から、勃起した陰茎が突き出ることができ、前記支持構造体が、分離軸を規定し、かつ、前記分離軸に対して実質的に垂直な方向に分離することができ、前記支持構造体のそれぞれは、少なくとも１つのフック状保持構造体を規定し、前記フック状保持構造体が、コンドームの入口開口内に張り出し、かつ、コンドームの管状壁の内面に隣接して配置されるような配置でもって、前記フック状保持構造体内に、コンドームのヘムリングが、収容および保持され、前記フック状保持構造体のそれぞれは、湾曲した輪郭を有し、使用する際、コンドームを繰り出して装着するために支持構造体が陰茎の軸に沿って移動するときに、コンドームのヘムリングを繰り出すのを可能にするような配置でもって、コンドームのヘムリングが、前記フック状保持構造体内に収容および保持され、前記フック状保持構造体のそれぞれは、凸状に湾曲したコンドーム接触面を規定し、前記コンドーム接触面は、コンドームの管状壁の内面と接触し、かつ、ヘムリングの丸みのある形状に合致し、前記支持構造体のそれぞれは、少なくとも１つの拘束構造体を規定し、前記拘束構造体は、支持構造体上に配置されて、コンドームのヘムリングがフック状構造体から遠ざかる方向へ動かないようにし、それによって、使用する際、コンドームを繰り出す初期の段階において、コンドームのヘムリングが保持構造体から外れるのを阻止する、前記コンドーム装着器具と、
包装用フィルムからなるパウチの形態を有する包装であり、前記包装内には、コンドームと、支持構造体の少なくともフック状保持構造体および拘束構造体とが含まれ、前記包装は、２つのパウチ半体を含み、前記２つのパウチ半体は、それらの間に強度の弱い線を規定し、前記線は、使用する際に支持構造体を分離する分離軸に位置を合わせられ、前記強度の弱い線は、使用する際に、支持構造体をお互いに分離するとき、前記強度の弱い線に沿って包装を引き裂くのを可能にする、前記包装と、を備える。
【００１３】
コンドーム装着器具の支持構造体のそれぞれは、分離して離間配置された一対のフック状保持構造体を規定してもよく、一方の支持構造体に含まれる保持構造体のそれぞれは、分離軸に対して４５°の角度で延びるフック軸に沿って、他方の支持構造体に含まれる保持構造体と実質的に向かい合って配置される。
【００１４】
コンドーム装着器具のコンドーム支持構造体のそれぞれは、前記フック状構造体を規定する本体部分とフラップ状ハンドル部分とを規定してもよく、前記フラップ状ハンドル部分は、本体部分から張り出し、かつ、コンドームを装着するときに、本体部分を操作するためにユーザが掴むことができる。
【００１５】
コンドーム支持構造体のそれぞれは、本体部分とハンドル部分との間にヒンジを有してもよく、それによって、ハンドル部分が、本体部分に対してヒンジ式に動くことができる。
【００１６】
コンドーム装着器具は、変形可能な材料から構成されてもよく、それぞれのコンドーム支持構造体のヒンジは、本体部分とハンドル部分との間に規定されたくびれの形態を有してもよく、前記くびれは、本体部分に対してハンドル部分を曲げるのを十分に可能にするものである。
【００１７】
コンドーム装着器具は、ヘムリングから遠隔にあるコンドーム端部に乳頭部を有するコンドームに使用するようになされたものであってもよく、コンドーム装着器具は、２つの端部を有するストリップを含み、前記ストリップは、使用する際に、乳頭部に空気が入り込むのを防止ために、乳頭部がストリップによって折り重ねられた状態に維持されるような配置でもって、ストリップの端部をコンドーム支持構造体に接続され、コンドーム支持構造体間に張り渡され、かつ、コンドーム支持構造体上に保持されたコンドームを覆うようにして延び、前記ストリップは、強度の弱い部分を有し、前記強度の弱い部分は、使用する際に支持構造体が分離されたとき、その部分が引き裂かれるのを可能にする。
【００１８】
包装用フィルムは、密閉された状態で支持構造体の本体部分に取り付けられてもよく、それによって、フック状保持構造体、コンドーム、および、拘束構造体を取り囲む密封包装容器を形成し、支持構造体のハンドル部分は、包装用フィルムの外部へ張り出し、使用する際に、ハンドル構造体を操作することができる。
【００１９】
包装用フィルムは、支持構造体の本体部分間に緊張して架け渡され、ハンドル部分を操作することによって、包装用フィルムの内面に作用するように内端をお互いに対して上かまたは下へ動かすことができ、それによって、包装用フィルムの内面に、包装用フィルムの前記強度の弱い線を引き裂くのに十分な力を加えることができるような配置でもって、本体部分の作用内端が、前記分離軸に沿ってお互いに接触する。
【発明を実施するための最良の形態】
【００２０】
以下、添付の図面を参照して、図面に示されるような限定するものではない実施形態によって本発明のさらなる特徴を説明する。
【００２１】
（好適な実施形態の説明）
図面を参照すると、符号１０によって、本発明によるコンドーム装着器具が、全体的に示される。コンドーム装着器具は、変形可能なプラスチック材料からなり、コンドーム１２を勃起した陰茎に装着するときに使用するように構成されたものである。コンドームは、内面および外面を有する管状ラテックス壁を有し、巻かれて弾力のあるヘムリング１４にされ、そのヘムリング１４は、コンドームの初期形体において、入口開口を規定し、かつ、管状壁の外側に形成される。コンドームの管状壁の外面は、潤滑油を塗られており、また、管状壁の内面は、ヘムリング１４から遠隔にあるコンドームの自由端の手前で終端する領域まで潤滑油を塗られている。コンドームの自由端における壁の内面に潤滑油が塗られていないことによって、コンドームは、使用中に、コンドームが装着された陰茎の亀頭をしっかりと捕らえることができる。
【００２２】
コンドーム装着器具１０は、２つの半体を、第１のコンドーム支持構造体１６および第２のコンドーム支持構造体１８の形で有する。図面を通して、コンドーム支持構造体１６および１８の類似する特徴および同一の特徴は、それぞれ、類似する符号および同一の符号によって示される。これらの支持構造体は、一緒に内部空間２０を規定し、使用する際に、コンドームを装着するとき、この内部空間２０から、陰茎が、突き出ることができる。支持構造体は、分離軸Ａを一緒に規定する。使用する際、内部空間２０を拡張し、陰茎をその中に収容するために、支持構造体は、分離軸に対して実質的に垂直な方向に分離することができる。
【００２３】
コンドーム支持構造体１６は、分離して離間配置された一対のフック状保持構造体２２．１および２２．２を規定し、同様に、コンドーム支持構造体１８は、分離して離間配置された一対のフック状保持構造体２２．３および２２．４を規定し、そして、フック状保持構造体が、コンドームの入口開口内に張り出し、かつ、コンドームの管状壁の内面に隣接して配置されるような配置でもって、コンドーム１２のヘムリング１４をそれらのフック状保持構造体内に収容することができる。それぞれのフック状保持構造体２２は、それらの側面から見ると、湾曲したフック状の輪郭を有し、そして、使用する際、コンドームを繰り出して装着するために支持構造体が陰茎の軸に沿って移動するときに、コンドームのヘムリングを繰り出すのを可能にするような配置でもって、コンドーム１２のヘムリングをそれらのフック状保持構造体内に収容および保持することができる。
【００２４】
それぞれのフック状保持構造体２２は、凸状に湾曲したコンドーム接触面を規定し、この凸状湾曲面は、コンドームの管状壁の内面と接触し、かつ、コンドーム１２のヘムリング１４の丸みのある形状に合致する。
【００２５】
それぞれのコンドーム支持構造体１６および１８は、フック状構造体が配置される凹部２３を規定する。凹部２３は、拘束壁部分２５．１、２５．２、および、２５．３からなる拘束壁によって取り囲まれる。拘束壁部分２５．１および２５．３は、フック状構造体と向かい合って配置され、拘束壁構造体２５．２は、壁部分２５．１と２５．３との間に延びる。これらの拘束壁部分は、一体となって、コンドーム１２のヘムリング１４がフック状構造体から離れて外側へ移動するのを抑制し、それによって、ヘムリングが、フック状構造体によって捕捉されたままの状態であることを保証する。
【００２６】
図面の中の図１１を参照すると、フック状構造体２２は、それぞれ、フック軸Ｈを規定し、平面図で見れば、それらのフック軸Ｈは、フック状構造体の中心線に沿って延び、４５°の角度αで分離軸Ａと交差する。より詳細には、図面の中の図１２をさらに参照すると、それぞれのフック状構造体のフック軸Ｈは、フック状構造体の前記凸状湾曲コンドーム接触面の頂点２７を通って延びる前記中心線に沿って延び、かつ、フック状構造体の前記凸状湾曲コンドーム接触面の頂点に接する接線Ｔに対して垂直に延びる。
【００２７】
コンドーム支持構造体１６および１８のそれぞれは、凹部２３およびフック状構造体２２を規定する本体部分２４と、本体部分から張り出たフラップ状ハンドル部分２６とを規定し、使用する際、装着するときに、ユーザは、本体部分を操作するために、そのフラップ状ハンドル部分２６を掴むことができる。それぞれのコンドーム支持構造体は、本体部分２４とハンドル部分２６との間にあるヒンジを規定し、このヒンジによって、ハンドル部分２６は、本体部分２４に対して、ヒンジ式に動くことができる。それぞれのコンドーム支持構造体のヒンジは、関連する本体部分とハンドル部分との間に規定されたくびれ２８の形態を有し、このくびれ２８は、本体部分に対してハンドル部分を曲げることができるほど十分に細い。それぞれのハンドル部分２６は、ハンドル部分の上面に配置された同心円によって規定された一組の突起３０の形で、掴み構造体を規定する。それぞれのハンドル構造体２６は、上側および下側の作用面において、前記くびれ２８に隣接するハンドル部分の細長い突起構造体２９および３１をそれぞれ規定する。縦方向突起２９および３１は、使用する際、突起２９および３１が本体部分の側壁に接触したときに、ハンドル部分が本体部分に対してヒンジ式にさらに動くのを制限する止めの役割をなす。
【００２８】
コンドーム装着器具は、２つの端部３４．１および３４．２を有するストリップ３２を含み、このストリップ３２は、それの端部をコンドーム支持構造体１６および１８の本体部分２４に接続され、コンドーム支持構造体１６と１８との間に張り渡され、かつ、コンドーム支持構造体１６および１８上に保持されたコンドーム１２を覆うようにして延びる。コンドーム１２は、ヘムリング１４から遠隔にあるコンドーム１２の端部に、精液の容器を規定する乳頭部３８を有する。ストリップ３２は、伸縮可能なプラスチック材料からなり、かつ、強度の弱い線３６を規定し、その線３６は、コンドーム支持構造体の分離軸Ａに位置を合わせられ、かつ、使用する際に、支持構造体を分離したとき、ストリップが引き裂けるのを可能にする。より詳細には、ストリップは、引き裂ける前にある程度だけ伸びるのを可能にするような材料からなりかつ厚さを有し、それによって、支持構造体は、陰茎の亀頭をコンドームの中に挿入するのを可能にするための初期の分離をなすことができ、乳頭部３８は、ストリップ３２によって折り重ねられた状態に維持される。支持構造体をさらに分離することによって、ストリップ３２が、引き裂ける。ストリップ３２は、使用する際に、陰茎をコンドームの中に挿入する前に乳頭部に空気が入り込むのを防止ために、コンドームの乳頭部がストリップ３２によって折り重ねられた状態に維持されるような配置でもって、コンドーム支持構造体間に張り渡される。
【００２９】
本発明は、図面の中の図６、図７、図８、および、図９に示されるようなコンドーム装着器具と包装との集合体にまでその範囲が及ぶ。コンドーム装着器具と包装との集合体は、コンドーム１２、コンドーム装着器具１０、および、包装を備え、その包装は、符号４０によって概略的に示される包装用フィルムからなるパウチの形態を有する。パウチは、２つのパウチ半体４２．１および４２．２を含み、それらのパウチ半体４２．１および４２．２は、それらの間に強度の弱い線４４を規定し、その線４４は、使用する際に支持構造体を分離することのできる分離軸Ａに位置を合わせられる。強度の弱い線４４は、使用する際に、支持構造体をお互いに分離するとき、強度の弱い線に沿って包装を引き裂くのを可能にする。より詳細には、パウチの包装用フィルムは、コンドーム支持構造体の本体部分２４間に緊張して架け渡される。ハンドル部分を操作することによって、本体部分をそれらの内端を支点にしてお互いに対して動かし、それによって、本体部分の内端をお互いに対して上かまたは下へ動かし、その結果として、包装用フィルムの内面に力を加え、強度の弱い線４４を引き裂くことができるような配置でもって、本体部分の作用内端は、分離軸Ａに沿ってお互いに接触する。
【００３０】
使用する際、コンドーム１２を陰茎に装着するときに、ハンドル部分２６を操作することによって、支持構造体１６および１８の本体部分の内端が、お互いに対して動かされ、それによって、包装用フィルムの内面に作用するように内端を上かまたは下へ動かす。これが、包装用フィルム４０の内面に力を加え、強度の弱い線４４を引き裂く。これは、平面図で見れば、支持構造体１６と１８とを分離軸Ａに垂直に分離するのを可能にする。ストリップ３２は、伸縮可能な材料であるために、それの強度の弱い線３６に沿って引き裂ける前にある程度だけ伸びることができ、それによって、支持構造体は、初期の分離をなすことができ、それによって、陰茎の亀頭をコンドームの中に挿入するのを可能にし、乳頭部３８は、ストリップ３２によって折り重ねられた状態に維持されたままである。支持構造体をさらに分離することによって、ストリップ３２が引き裂かれる。その後、支持構造体１６および１８が、陰茎の全長にわたって押し込まれ、ヘムリングは、コンドームのヘムリング１４を転がしながら繰り出すことができるような配置でもって、フック状保持構造体２２によって収容および保持される。コンドームの壁の内面および外面に塗られた潤滑油によって、コンドームの壁の層が、お互いに滑り、かつ、コンドームの壁とそれぞれのフック状保持構造体２２との接触によって発生する摩擦を減少させるのを助けることができる。
【００３１】
ヘムリング１４は、コンドームの管状壁の外側に形成されるので、ヘムリングから転がしながら繰り出されるコンドームの壁部分は、フック状構造体の凸状湾曲コンドーム接触面に接触する。コンドームを装着する際、ヘムリングが、繰り出されるとき、フック状保持構造体の自由端部分１９は、陰茎の基部に向かう方向へヘムリング１４に力を加えることがわかる。本出願人は、フック状保持構造体の形状、および、ヘムリング１４がコンドームの管状壁の外側に規定されることが、ヘムリングが繰り出されるときに、ヘムリングとフック状保持構造体との摩擦を最小限にすることを確認している。この配置においては、コンドーム壁の繰り出される部分は、フック状保持構造体のコンドーム接触面に接触する。それとは対照的に、本出願人は、コンドームが、管状壁の内面に規定されたヘムリングを有する場合、きつく巻かれたヘムリングの湾曲した形状のために、ヘムリングとフック状保持構造体との接触面積は、ヘムリング１４の繰り出される部分がフック状保持構造体と接触する本発明の場合よりも比較的に小さいことを確認している。小さい接触面積は、大きい力を加えることになり、そして、そのことは、ヘムリングとフック状保持構造体との摩擦の摩擦係数を大きなものにする。さらに、繰り出されるヘムリング１４とフック状構造体との摩擦の摩擦係数をさらに減少させる点において、本出願人は、フック状保持構造体と支持構造体の分離軸Ａとの角度関係は、最適なものであることを確認している。とりわけ、フック軸Ｈと分離軸Ａとの間に規定される４５°の最適角度においては、ヘムリングとフック状保持構造体との接触面積は、最大となり、それによって、大きな力が加わる接触面が形成されるのを防止することができる。
【図面の簡単な説明】
【００３２】
【図１】本発明によるコンドーム装着器具を示す概略平面図である。
【図２】本発明によるコンドーム装着器具を示す概略底面図である。
【図３】図１のコンドーム装着器具を示す概略平面図であり、初期の状態におけるコンドームがどのようにしてそのコンドーム装着器具上に支持されているかを示す。
【図４】図３の線ＩＶ−ＩＶに沿った切断面によって図１のコンドーム装着器具を示す概略側面断面図であり、使用する際に、コンドーム装着器具上に支持されているコンドームがどのようにして繰り出されるかを示す。
【図５】図１の線Ｖ−Ｖに沿った切断面によって図１のコンドーム装着器具を示す概略側面断面図である。
【図６】本発明によるコンドーム装着器具と包装との集合体を示す概略側面図である。
【図７】図６のコンドーム装着器具と包装との集合体を示す概略端面図である。
【図８】図６のコンドーム装着器具と包装との集合体を示す概略斜視図である。
【図９】支持構造体が分離軸Ａに沿って分離された開封状態における図６のコンドーム装着器具と包装との集合体を示す概略斜視図である。
【図１０】支持構造体のフックおよび拘束壁を含む細部を示す概略拡大部分側面断面図であり、使用する際に、コンドームのヘムリングがどのようにして繰り出されるかを示す。
【図１１】図１のコンドーム装着器具を示す概略平面図であり、フック状構造体と支持構造体間に規定された分離軸Ａとの間の角度関係を示す。
【図１２】図１のコンドーム装着器具のフック状構造体を示す概略部分平面断面図であり、それぞれのフック状保持構造体と分離軸Ａとの間の角度関係を示す。
【国際公開パンフレット】
2004522543.tif 000003
2004522543.tif 000004
2004522543.tif 000005
2004522543.tif 000006
2004522543.tif 000007
2004522543.tif 000008
2004522543.tif 000009
2004522543.tif 000010
2004522543.tif 000011
2004522543.tif 000012
2004522543.tif 000013
2004522543.tif 000014
2004522543.tif 000015
2004522543.tif 000016
2004522543.tif 000017
2004522543.tif 000018
2004522543.tif 000019
2004522543.tif 000020
2004522543.tif 000021
2004522543.tif 000022
2004522543.tif 000023
2004522543.tif 000024
2004522543.tif 000025
2004522543.tif 000026
2004522543.tif 000027
2004522543.tif 000028
2004522543.tif 000029
2004522543.tif 000030
【国際調査報告】
2004522543.tif 000031
2004522543.tif 000032
2004522543.tif 000033
2004522543.tif 000034
2004522543.tif 000035